(57)【特許請求の範囲】
【請求項１】
貯氷室の前面の上部に氷取り出し口を開口し、該氷取り出し口の両側縁に沿ってガイドレールを配設するとともに、ガイドレールにスライドドアを上下動可能に案内し、該スライドドアの前面の上部に取り付けたハンドルを引き上げてスライドドアを上昇させて前記氷取りだし口を閉じたとき、スライドドアの上端部が氷取りだし口の上縁に沿って配設したレール部材に係入し、前記氷取り出し口を開いたときは、該スライドドアが前記貯氷室の前面下部に下降するようにするとともに、前記貯氷室の前面に、前記氷取り出し口に対応する開口を形成したフロントパネルを取り付けて、該フロントパネルの背後で前記スライドドアを上下動するようにしたことを特徴とする貯氷庫。
【発明の詳細な説明】
【０００１】
【発明の属する技術分野】
本発明は、スライドドアを貯氷室前面下部に下降させ、氷取り出し口を開口するようにした貯氷庫に関するものである。
【０００２】
【従来の技術】
従来の貯氷庫は、氷のストック量や取りだし易さ等の使い勝手を考慮して、貯氷室正面の上部に氷取り出し口ｘを開口し、図５（ａ）に示すように該氷取りだし口を閉じるスライドドアｙを、上方に引き上げて開いたり、同図（ｂ）に示すように左右方向にスライドさせて開いたりしていた。
【０００３】
【発明が解決しようとする課題】
しかしながら、スライドドアｙを上方に引き上げて氷取りだし口ｘを開くと、該スライドドアｘが貯氷庫の上方へ飛び出してしまう。このため、貯氷庫の上面に載置した製氷機に収納スペースを設けたり、貯氷庫の背を高くする必要がある。また、左右方向にスライドさせるものは、開口の１／２〜２／３程度しか開放できないため、氷取り出し作業がし難かった。さらに、特開平１０−２３８９１７号公報に開示されるように、ドアを手前側に倒して氷取り出し口を開くものもあるが、貯氷庫の前面にスペースが無い場合は、氷取り出し作業がし難いという問題点がある。本発明は、上記問題点を解決するためになされたもので、スライドドアを貯氷室前面で下降させ、氷取り出し口を開口するようにして、該氷取り出し口の下部の余剰スペースを有効利用した貯氷庫を提供することを目的とする。
【０００４】
【課題を解決するための手段】
上記目的を達成するために請求項１に記載された本発明の貯氷庫は、貯氷室の前面の上部に氷取り出し口を開口し、該氷取り出し口の両側縁に沿ってガイドレールを配設するとともに、ガイドレールにスライドドアを上下動可能に案内し、該スライドドアの前面の上部に取り付けたハンドルを引き上げてスライドドアを上昇させて前記氷取りだし口を閉じたとき、スライドドアの上端部が氷取りだし口の上縁に沿って配設したレール部材に係入し、前記氷取り出し口を開いたときは、該スライドドアが前記貯氷室の前面下部に下降するようにするとともに、前記貯氷室の前面に、前記氷取り出し口に対応する開口を形成したフロントパネルを取り付けて、該フロントパネルの背後で前記スライドドアを上下動するようにしたことを特徴とする。
【０００５】
【発明の作用及び効果】
請求項１に記載の貯氷庫によれば、ガイドレールに案内されるスライドドアを、該スライドドアの前面上部に取付けたハンドルにより上下動させて氷取りだし口を開閉する。そして、貯氷室の前面には、氷取り出し口に対応する開口を形成したフロントパネルを取り付けて、該フロントパネルの背後で前記スライドドアをハンドルにより上下動させて氷取り出し口を開閉するようにしたから、氷取りだし口の開閉時にはスライドドアに直接触れることがなく、安全かつ清潔であるとともにサニタリー性が良好となる。
【０００６】
【発明の実施の形態】
本発明の実施形態について添付図面を参照して説明する。図１は貯氷庫１の正面図であって、右半分はフロントパネル２を省略して示してある。開口３を形成したフロントパネル２は、貯氷室４の前面４ａを覆って取り付けられている。フロントパネル２の開口３は、貯氷室４の前面４ａの上部に開口した氷取り出し口５に対応している。氷取り出し口５の下縁は、貯氷室４内に向かって下がる傾斜面５ａが形成されている。また、氷取り出し口５の両側縁に沿って、ガイドレール６が配設されている。左右のガイドレール６の上端間には、氷取り出し口５の上端縁に沿って配置されたレール部材７が取り付けられている。図２及び図３に示すように、ガイドレール６及びレール部材７は、摩擦抵抗の小さい樹脂（高密度ポリエチレン樹脂）製であって、ガイドレール６にはガイド溝６ａが、レール部材７には係入溝７ａがそれぞれ形成されている。
【０００７】
ポリエチレン樹脂製のスライドドア１１は、前面上部にハンドル１２が取り付けられ、裏面の下端縁に沿ってジュラコン（商品名）製の冷気洩れ防止部材１３がチャンネル部材により固定されている。図２に示すようにハンドル１２は、フロントパネル２の開口３内に突出している。そして、冷気洩れ防止部材１３の両側端は、スライドドア１１の両側端よりも突出させ、その突出部１４をロック部材としてその上面には傾斜案内面１５が形成され、下面には係合ロック面１６が形成されている。このスライドドア１１は、ガイドレール６により案内されて上下動する。このとき、スライドドア１１の両側端部がガイドレール６のガイド溝６ａに嵌まって摺擦する。また、この上下動の際、冷気洩れ防止部材１３の裏面は、貯氷室４の前面４ａを摺擦する。レール部材７の係入溝７ａには、上昇して氷取りだし口５を全閉したスライドドア１１の上端端が係入するようになっている。
【０００８】
また、貯氷室４の前面４ａには、図４に示すように左右のガイドレール６の下端に連続させて、ガイド部材２１が対称状に配設されている。ガイド部材２１は、それぞれスライドドア１１の両側端を嵌めて案内するガイドレール部２２が形成されている。そして、スライドドア１１の上下動の際には、冷気洩れ防止部材１３の突出部１４の突出端がガイドレール部２２の溝底２３を摺擦する。また、溝底２３には上下２箇所に開口２４，２５が形成されている。該開口２４，２５には、それぞれガイド部材２１に固定した弾接ロック部材である板バネ２６のくの字形屈曲部２７を突出させて、板バネ２６のバネ弾力をスライドドア１１の両側端面若しくは冷気洩れ防止部材１３の突出部１４に作用させる。
【０００９】
そして、スライドドア１１を上昇させて氷取り出し口５を全閉したとき、上方の板バネ２６のくの字形屈曲部２７が冷気洩れ防止部材１３の突出部１４の係合ロック面１６に係合してロックするようになっている。また、開口２４の下部口縁２４ａ及び開口２５の上下の口縁２５ａ，２５ｂは、それぞれ溝底２３の裏側である外側へ屈曲させて、溝底２３を摺擦する冷気洩れ防止部材１３の突出部１４やスライドドア１１の側端面に、傷が付いたり偏磨耗したりしないようにしている。
【００１０】
貯氷室４の前面４ａの下部には、スライドドア１１が下降して氷取り出し口５を開いたとき、該スライドドア１１の下端が当接するストッパ２８が固定されている。該ストッパ２８には、当接時の衝撃を吸収する緩衝パッド２９が取り付けられている。そして、ストッパ２８の下方には、貯氷室４の前面４ａを伝い落ちる水滴を集める樋３０が固定されている。樋３０には、集まった水滴を貯氷庫１の下部に排出するドレンパイプ３１が取り付けられている。
【００１１】
上記構成の貯氷庫１は、フロントパネル２の開口３内に突出するハンドル１２を引き上げると、冷気洩れ防止部材１３の突出部１４の傾斜案内面１５が、順次下方及び上方の板バネ２６のくの字形屈曲部２７を開口２５，２４外に排除しながら上昇する。そして、氷取りだし口５を全閉すると、上方の板バネ２６のくの字形屈曲部２７が冷気洩れ防止部材１３の突出部１４の係合ロック面１６に係合して下降不能にロックする。このとき、スライドドア１１の両側端部が、ガイドレール６のガイド溝６ａに嵌まり、上端部が氷取りだし口５の上縁に沿って配設したレール部材７の係入溝７ａに係入する。さらに、冷気洩れ防止部材１３の裏面が貯氷室４の前面４ａに接触し、冷気洩れ防止部材１３の突出端がガイドレール部２２の溝底２３に接触しているから、氷取り出し口５が気密に閉塞され冷気洩れが生じることがない。
【００１２】
板バネ２６のバネ弾力に抗してハンドル１２を押し下げると、冷気洩れ防止部材１３の突出部１４のロック傾斜面１６が、板バネ２６のくの字形屈曲部２７を開口２４外へ排除してスライドドア１１が下降する。冷気洩れ防止部材１３の突出部１４が板バネ２６のくの字形屈曲部２７を通過すると、該くの字形屈曲部２７が開口２４からガイドレール部２２に突出して、スライドドア１１の側端面に弾接してバネ弾力を作用させる。これにより、下降するスライドドア１１に一定の制動力が及ぶ。
【００１３】
スライドドア１１が下降端に近づき、冷気洩れ防止部材１３の突出部１４のロック傾斜面１６が、下方の板バネ２６のくの字形屈曲部２７を開口２４外へ排除して該くの字形屈曲部２７を通過すると、上記と同様にスライドドア１１の側端面にバネ弾力が作用する。上下２個の板バネ２６のバネ弾力が作用して、下降するスライドドア１１に及ぶ制動力が増加する。そして、スライドドア１１の下端がストッパ２８の緩衝パッド２９に当接して停止し、氷取り出し口５を全開する。
【００１４】
上記構成の貯氷庫１は、氷取り出し口５の開放時におけるスライドドア１１の収納スペースとして、貯氷室４の前面４ａの余剰スペースを有効利用できる。また、貯氷室４の前面４ａとスライドドア１１の間隔は、ガイドレール６及びレール部材７の取り付け面からそれぞれガイド溝６ａ及び係入溝７ａまでの寸法であって狭いから、製氷された氷が落ち込んだり挟まったりすることがなく、スライドドア１１の開閉に不都合を生じることがない。さらに、氷取り出し口５の開閉は、スライドドア１１の前面上部に取付けてフロントパネル２の開口３内に突出させたハンドル１２により、スライドドア１１を上下動させて行う。そして、その上下動は貯氷室４の前面に取付けたフロントパネル２の背後で行われるから、氷取り出し口５の開閉時にはスライドドア１１に直接触れることがなく、安全かつ清潔であるとともにサニタリー性が良好となる。
【図面の簡単な説明】
【図１】貯氷庫の正面図であって、右半分はフロントパネルを省略して示してある。
【図２】スライドドアが全閉された状態の図１に於けるＡ−Ａ線拡大断面図である。
【図３】同、Ｂ−Ｂ線拡大断面図である。
【図４】全閉位置でスライドドアがロックされた状態を示した要部の拡大断面図である。
【図５】従来例を示した説明図である。
【符号の説明】
１...貯氷庫
２...フロントパネル
３...開口
４...貯氷室
４ａ...前面
５...氷取り出し口
６...ガイドレール
６ａ...ガイド溝
７...レール部材
７ａ...係入溝
１１...スライドドア
１２...ハンドル
【図１】
0003913448.tif 000002
【図２】
0003913448.tif 000003
【図３】
0003913448.tif 000004
【図４】
0003913448.tif 000005
【図５】
0003913448.tif 000006